(57)【要約】【課題】先行車両が存在する場合における自車前方の視認性を向上する。【解決手段】自車の前方を撮影する前方カメラ１１の撮影映像に画像認識処理を施して自車の直前に位置する先行車両の車両ナンバーを特定する。通信部１０を介して、車両前方を撮影するカメラ２１を搭載した車両より当該車両の車両ナンバーが付加されたカメラの撮影映像を受信した場合、画像認識処理を施して特定した先行車両の車両ナンバーと一致する車両ナンバーが付加されたカメラの撮影映像を、自車の直前に位置する先行車両の撮影映像として特定し、この先行車両の撮影映像を表示部１４に表示させる。【選択図】図１
2010267052.tif 000002
【特許請求の範囲】
【請求項１】
外部と通信を行う通信手段を備え、当該通信手段を介して受信した映像を表示部に表示させる機能を有する車載表示装置において、
前記通信手段を介して、車両前方を撮影するカメラを搭載した車両より当該車両を特定するための識別情報を付加したカメラの撮影映像を受信した場合、前記識別情報を用いて、前記通信手段を介して受信した映像の中から自車の直前に位置する先行車両に搭載されたカメラの撮影映像を特定する撮影映像特定手段と、
前記先行車両に搭載されたカメラの撮影映像を前記表示部に表示させる表示制御手段と、を備えたことを特徴とする車載表示装置。
【請求項２】
自車の前方を撮影する撮影手段と、
前記撮影手段の撮影映像に画像処理を施して前記自車の直前に位置する先行車両の車両ナンバーを特定する車両ナンバー特定手段と、を備え、
前記カメラを搭載した車両より送信される撮影映像には、当該車両の車両ナンバーが前記識別情報として付加されており、
前記撮影映像特定手段は、前記車両ナンバー特定手段により特定された前記先行車両の車両ナンバーと同一の車両ナンバーが付加された前記撮影映像を前記先行車両に搭載されたカメラの撮影映像として特定することを特徴とする請求項１に記載の車載表示装置。
【請求項３】
先行車両との車間距離を計測する車間距離計測手段と、
前記表示部に表示させる前記カメラの撮影映像が自車の車速に応じた速度感となるように、前記先行車両との車間距離が長くなると前記先行車両に搭載されたカメラの撮影映像を縮小し、前記先行車両との車間距離が短くなると前記先行車両に搭載されたカメラの撮影映像を拡大する表示倍率変更手段と、を備えたことを特徴とする請求項１または２に記載の車載表示装置。
【請求項４】
前記先行車両に搭載されたカメラの撮影映像には、当該カメラの画角を特定するための情報が付加されており、
前記先行車両に搭載されたカメラの画角を特定するための情報に基づいて、前記表示部に表示させる前記カメラの撮影映像の範囲が一定となるように、前記先行車両に搭載されたカメラの撮影映像の大きさを補正する第１の補正手段を備えたことを特徴とする請求項１ないし３のいずれか１つに記載の車載表示装置。
【請求項５】
前記先行車両に搭載されたカメラの撮影映像には、当該先行車両におけるカメラの取り付け位置を特定するための情報が付加されており、
自車における前記撮影手段の取り付け位置を特定するための情報を記憶する記憶手段と、
前記車間距離計測手段により計測された前記先行車両との車間距離、自車における前記撮影手段の取り付け位置を特定するための情報および前記撮影映像に付加された前記先行車両におけるカメラの取り付け位置を特定するための情報に基づいて、自車における前記撮影手段と前記先行車両におけるカメラの相対位置を特定し、当該相対位置に基づいて前記先行車両に搭載されたカメラの撮影映像を、自車に搭載された前記撮影手段を視点とした映像となるように視点変換する視点変換手段と、を備えたことを特徴とする請求項１ないし４のいずれか１つに記載の車載表示装置。
【請求項６】
前記表示部に表示すべき撮影映像が画面サイズより小さいことを判定した場合、前記先行車両に搭載されたカメラの撮影映像の周囲に前記撮影手段により撮影された映像を嵌め込み合成した映像を生成する第１の合成映像生成手段を備えたことを特徴とする請求項２ないし５のいずれか１つに記載の車載表示装置。
【請求項７】
前記通信手段を介して受信した前記先行車両に搭載されたカメラの撮影映像を一時記憶する映像記憶手段と、
前記表示部に表示すべき撮影映像が当該表示部の画面サイズより小さいことを判定した場合、前記先行車両に搭載されたカメラが過去に撮影した撮影映像を前記映像記憶手段から読み出し、前記先行車両に搭載されたカメラの撮影映像の周囲に前記映像記憶手段から読み出した撮影映像を嵌め込み合成した映像を生成する第２の合成映像生成手段と、を備えたことを特徴とする請求項１ないし５のいずれか１つに記載の車載表示装置。
【請求項８】
前記通信手段を介して受信した前記先行車両に搭載されたカメラの撮影映像の伝送遅延量を特定する伝送遅延量特定手段と、
前記伝送遅延量が大きいほど前記表示部に表示させる前記先行車両に搭載されたカメラの撮影映像を大きく拡大する第２の補正手段と、を備えたことを特徴とする請求項１ないし７のいずれか１つに記載の車載表示装置。
【発明の詳細な説明】
【技術分野】
【０００１】
本発明は、外部と通信を行う通信手段を備え、当該通信手段を介して受信した映像を表示部に表示させる機能を有する車載表示装置に関するものである。
【背景技術】
【０００２】
従来、路上等に設置された固定カメラの撮影画像を受信し、この撮影画像に自車からの視線となるように視点変換を施して、この視点変換した画像を自車内の表示装置に表示させるものがある（例えば、特許文献１参照）。
【０００３】
また、撮像手段、位置情報取得手段、大容量記憶装置を有するカーナビゲーション装置および情報通信機能付携帯電話装置を搭載し、走行に伴って収集した映像情報を提供する情報提供車両と、必要とされる場所の映像情報に近い情報提供車両を位置情報から検索し、情報提供車両に情報リクエストを行うＡＳＰセンタと、を有し、必要とされる映像情報の配信要求がネットワーク手段を介してなされ、ＡＳＰセンタからの情報収集リクエストに応じて情報提供車両から必要とされる場所の映像情報が会員登録された利用者のナビゲーション装置、携帯電話、パソコン等に直接的に提供されるように構成された情報提供システムがある（例えば、特許文献２参照）。
【先行技術文献】
【特許文献】
【０００４】
【特許文献１】特開２００８−１５１７０８号公報
【特許文献２】特開２００４−３８８６６号公報
【発明の概要】
【発明が解決しようとする課題】
【０００５】
ところで、車両を運転する際に、自車の直前に先行車両が存在するような場合、その先行車両により前方の視界が遮られ自車前方の視認性が低下するといった状況が生じる。特に、大型トラックや大型バス等、車高の高い車両の後ろを走行するような場合には、信号機の存在に気付くのが遅れてしまったり、路肩に停車している車両等に気付くのが遅れてしまったり、停車車両の影から飛び出してくるものなどに気付くのが遅れてしまったりするといった問題が生じる。
【０００６】
しかしながら、上記特許文献１、２に記載された装置では、このように自車の直前を走行する先行車両が存在する場合における自車前方の視認性を向上するのは困難である。
【０００７】
本発明は上記問題に鑑みたもので、先行車両が存在する場合における自車前方の視認性を向上することを目的とする。
【課題を解決するための手段】
【０００８】
上記目的を達成するため、請求項１に記載の発明は、外部と通信を行う通信手段を備え、当該通信手段を介して受信した映像を表示部に表示させる機能を有する車載表示装置において、通信手段を介して、車両前方を撮影するカメラを搭載した車両より当該車両を特定するための識別情報を付加したカメラの撮影映像を受信した場合、識別情報を用いて、通信手段を介して受信した映像の中から自車の直前に位置する先行車両に搭載されたカメラの撮影映像を特定する撮影映像特定手段と、先行車両に搭載されたカメラの撮影映像を表示部に表示させる表示制御手段と、を備えたことを特徴としている。
【０００９】
このような構成によれば、通信手段を介して、車両前方を撮影するカメラを搭載した車両より当該車両を特定するための識別情報を付加したカメラの撮影映像を受信した場合、識別情報を用いて、通信手段を介して受信した映像の中から自車の直前に位置する先行車両に搭載されたカメラの撮影映像を特定し、この先行車両に搭載されたカメラの撮影映像が表示部に表示されるので、先行車両が存在する場合における自車前方の視認性を向上することができる。
【００１０】
また、請求項２に記載の発明は、自車の前方を撮影する撮影手段と、撮影手段の撮影映像に画像処理を施して自車の直前に位置する先行車両の車両ナンバーを特定する車両ナンバー特定手段と、を備え、カメラを搭載した車両より送信される撮影映像には、当該車両の車両ナンバーが識別情報として付加されており、撮影映像特定手段は、車両ナンバー特定手段により特定された先行車両の車両ナンバーと同一の車両ナンバーが付加された撮影映像を先行車両に搭載されたカメラの撮影映像として特定することを特徴としている。
【００１１】
このように、識別情報として付加された先行車両の車両ナンバーと同一の車両ナンバーが付加された撮影映像を先行車両に搭載されたカメラの撮影映像として特定することができる。
【００１２】
また、請求項３に記載の発明は、先行車両との車間距離を計測する車間距離計測手段と、表示部に表示させるカメラの撮影映像が自車の車速に応じた速度感となるように、先行車両との車間距離が長くなると先行車両に搭載されたカメラの撮影映像を縮小し、先行車両との車間距離が短くなると先行車両に搭載されたカメラの撮影映像を拡大する表示倍率変更手段と、を備えたことを特徴としている。
【００１３】
このような構成によれば、表示部に表示させるカメラの撮影映像が自車の車速に応じた速度感となるように、先行車両との車間距離が長くなると先行車両に搭載されたカメラの撮影映像が縮小し、先行車両との車間距離が短くなると先行車両に搭載されたカメラの撮影映像が拡大するので、運転者に違和感を与えないようにすることが可能である。
【００１４】
また、請求項４に記載の発明は、先行車両に搭載されたカメラの撮影映像には、当該カメラの画角を特定するための情報が付加されており、先行車両に搭載されたカメラの画角を特定するための情報に基づいて、表示部に表示させるカメラの撮影映像の範囲が一定となるように、先行車両に搭載されたカメラの撮影映像の大きさを補正する第１の補正手段を備えたことを特徴としている。
【００１５】
このような構成によれば、先行車両に搭載されたカメラの画角を特定するための情報に基づいて、表示部に表示させるカメラの撮影映像の範囲が一定となるように、先行車両に搭載されたカメラの撮影映像の大きさが補正されるので、先行車両が走行途中で入れ替わり、先行車両に搭載されたカメラの撮影映像の画角が異なっても、表示部に表示させるカメラの撮影映像の範囲を一定にすることができる。
【００１６】
また、請求項５に記載の発明は、先行車両に搭載されたカメラの撮影映像には、当該先行車両におけるカメラの取り付け位置を特定するための情報が付加されており、自車における撮影手段の取り付け位置を特定するための情報を記憶する記憶手段と、車間距離計測手段により計測された先行車両との車間距離、自車における撮影手段の取り付け位置を特定するための情報および撮影映像に付加された先行車両におけるカメラの取り付け位置を特定するための情報に基づいて、自車における撮影手段と先行車両におけるカメラの相対位置を特定し、当該相対位置に基づいて先行車両に搭載されたカメラの撮影映像を、自車に搭載された撮影手段を視点とした映像となるように視点変換する視点変換手段と、を備えたことを特徴としている。
【００１７】
このような構成によれば、先行車両に搭載されたカメラの撮影映像が、自車に搭載された撮影手段を視点とした映像となるように視点変換され、この視点変換された映像が表示部に表示されるので、あたかも自車に搭載されたカメラにより撮影されたような映像を提供することができる。
【００１８】
また、請求項６に記載の発明は、表示部に表示すべき撮影映像が画面サイズより小さいことを判定した場合、先行車両に搭載されたカメラの撮影映像の周囲に撮影手段により撮影された映像を嵌め込み合成した映像を生成する第１の合成映像生成手段を備えたことを特徴としている。
【００１９】
このような構成によれば、表示部に表示すべき撮影映像が画面サイズより小さいことを判定した場合、先行車両に搭載されたカメラの撮影映像の周囲に撮影手段により撮影された映像を嵌め込み合成した映像を生成し、この生成した嵌め込み合成した映像が表示部に表示されるので、表示部に表示すべき撮影映像が画面サイズより小さくなっても、あたかも自車に搭載されたカメラにより撮影されたような映像を運転者に提供することができる。
【００２０】
また、請求項７に記載の発明は、通信手段を介して受信した先行車両に搭載されたカメラの撮影映像を一時記憶する映像記憶手段と、表示部に表示すべき撮影映像が当該表示部の画面サイズより小さいことを判定した場合、先行車両に搭載されたカメラが過去に撮影した撮影映像を映像記憶手段から読み出し、先行車両に搭載されたカメラの撮影映像の周囲に映像記憶手段から読み出した撮影映像を嵌め込み合成した映像を生成する第２の合成映像生成手段と、を備えたことを特徴としている。
【００２１】
このような構成によれば、表示部に表示すべき撮影映像が当該表示部の画面サイズより小さいことを判定した場合、先行車両が自車位置で撮影した撮影映像を映像記憶手段から読み出し、先行車両に搭載されたカメラの撮影映像の周囲に映像記憶手段から読み出した撮影映像を嵌め込み合成した映像を生成し、この生成した嵌め込み合成した映像が表示部に表示されるので、表示部に表示すべき撮影映像が画面サイズより小さくなっても、あたかも自車に搭載されたカメラにより撮影されたような映像を運転者に提供することができる。
【００２２】
また、請求項８に記載の発明は、通信手段を介して受信した先行車両に搭載されたカメラの撮影映像の伝送遅延量を特定する伝送遅延量特定手段と、伝送遅延量が大きいほど表示部に表示させる先行車両に搭載されたカメラの撮影映像を大きく拡大する第２の補正手段と、を備えたことを特徴としている。
【００２３】
このような構成によれば、伝送遅延量が大きいほど表示部に表示させる先行車両に搭載されたカメラの撮影映像が大きく拡大して表示部に表示されるので、先行車両に搭載されたカメラの撮影映像が大きく遅延しても、実際の車両位置よりも前方で撮影したような光景としてカメラの撮影映像が表示され、運転者に違和感を与えないようにすることが可能である。
【図面の簡単な説明】
【００２４】
【図１】本発明の第１実施形態に係る車載表示装置の構成を示す図である。
【図２】自車および他車における各カメラの取り付け位置について説明するための図である。
【図３】先行車両に搭載されたカメラの撮影映像の周囲に自車に搭載された前方カメラの撮影映像を嵌め込み合成した映像について説明するための図である。
【図４】第１実施形態に係る制御部のフローチャートである。
【図５】第２実施形態に係る制御部のフローチャートである。
【発明を実施するための形態】
【００２５】
（第１実施形態）
本発明の第１実施形態に係る車載表示装置の構成を図１に示す。本車載表示装置１は、自車に搭載されており、通信部１０、前方カメラ１１、測距センサ１２、操作部１３、表示部１４および制御部１５を備えている。本車載表示装置１は、通信部１０を介して外部より映像情報を受信すると、受信した映像情報を表示部１４に表示させる機能を有している。本実施形態では、車両前方を撮影するカメラ２１および制御部２２を備えた映像送信装置２を搭載した他車より、当該車両を特定するための識別情報を含む付加情報を付加したカメラの撮影映像が送信されるようになっており、本車載表示装置１は、この付加情報に含まれる識別情報を用いて、通信部１０を介して受信したカメラの撮影映像の中から自車の直前に位置する先行車両に搭載されたカメラ２１の撮影映像を特定し、先行車両に搭載されたカメラ２１の撮影映像を表示部１４に表示させる。
【００２６】
通信部１０は、他車に搭載された通信装置と車々間通信を行うためのものである。
【００２７】
前方カメラ１１は、図２に示すように、自車における左右中央のルームミラー付近に取り付けられ、自車の前方を撮影した撮影映像を制御部１５へ送出する。
【００２８】
測距センサ１２は、図２に示すように、自車における左右中央の先端部（例えば、フロントグリル）に取り付けられ、自車前方に存在する物体との距離を測定し、測定した距離を示す距離情報を制御部１５へ送出する。測距センサ１２としては、超音波センサ、レーダセンサ、レーザセンサ等を用いることができる。
【００２９】
操作部１３は、表示部１４のディスプレイの前面に重ねて設けられたタッチスイッチ、表示部１４のディスプレイの周囲に配置されたメカニカルスイッチ等により構成され、ユーザのスイッチ操作に応じた信号を制御部１５へ出力する。
【００３０】
表示部１４は、液晶等のディスプレイを有し、制御部１５より入力される映像情報に応じた映像をディスプレイに表示させる。
【００３１】
制御部１５は、ＣＰＵ、ＲＡＭ、ＲＯＭ、ハードディスクドライブ、Ｉ／Ｏ等を備えたコンピュータとして構成されており、ＣＰＵはＲＯＭに記憶されたプログラムに従って各種処理を実施する。
【００３２】
制御部１５の処理としては、前方カメラ１１の撮影映像を表示部１４のディスプレイに表示させる前方カメラ映像表示処理、前方カメラ１１の撮影映像に対して画像認識処理を施して前方カメラ１１の撮影映像に含まれる物体、文字、数字、記号等を認識する画像認識処理等がある。
【００３３】
本車載表示装置１における制御部１５のハードディスクドライブには、自車への取り付け時に、作業者の操作に応じてカメラの画角情報および自車における前方カメラ１１の取り付け位置を特定するための情報が記憶されるようになっている。本実施形態では、水平画角、垂直画角、対角線画角によりカメラの画角情報が規定されている。また、本実施形態において、前方カメラ１１の取り付け位置を特定するための情報は、図２に示すように、自車の左右中央の自車の先端の直下（地面）を基準点Ｄ１として規定されている。具体的には、基準点Ｄ１（地面）からの高さＨ１、基準点Ｄ１との前後方向の距離Ｌ１１、左右中央との左右方向の距離が、前方カメラ１１の取り付け位置を特定するための情報として制御部１５のハードディスクドライブに記憶されている。
【００３４】
一方、他車には、車両前方を撮影するカメラ２１および制御部２２を備えた映像送信装置２が搭載されている。
【００３５】
カメラ２１は、図２に示すように、他車における左右中央のルームミラー付近に取り付けられ、他車の前方を撮影した撮影映像を制御部２２へ送出する。
【００３６】
制御部２２は、ＣＰＵ、ＲＡＭ、ＲＯＭ、ハードディスクドライブ、Ｉ／Ｏ等を備えたコンピュータとして構成されており、ＣＰＵはＲＯＭに記憶されたプログラムに従って各種処理を実施する。
【００３７】
制御部２２のハードディスクドライブには、車両ナンバー、カメラの画角情報およびカメラの取り付け位置を特定するための情報が記憶されている。本実施形態では、水平画角、垂直画角、対角線画角によりカメラの画角情報が規定されている。また、本実施形態において、カメラの取り付け位置を特定するための情報は、図２に示すように、他車の左右中央の自車の先端の直下（地面）を基準点Ｄ２として規定されている。具体的には、基準点Ｄ２（地面）からの高さＨ２、基準点Ｄ２との前後方向の距離（図では省略する）、左右中央との左右方向の距離および車両全長Ｌ２がカメラの取り付け位置情報として制御部２２のハードディスクドライブに記憶されている。
【００３８】
他車に搭載された映像送信装置２は、識別情報を付加したカメラ２１の撮影映像を無線送信するようになっている。なお、識別情報には、他車を特定するための識別情報としての車両ナンバー、カメラの画角情報、カメラの取り付け位置情報が含まれる。
【００３９】
本車載表示装置１は、前方カメラ１１の撮影映像に画像認識処理を施して自車の直前に位置する先行車両の車両ナンバーを特定し、この先行車両の車両ナンバーと同一の車両ナンバーが付加された撮影映像を自車の直前に位置する先行車両に搭載されたカメラ２１の撮影映像として特定し、先行車両に搭載されたカメラ２１の撮影映像を表示部１４に表示させる。このように先行車両に搭載されたカメラ２１の撮影映像を表示部１４に表示させることで、自車の直前に先行車両が存在しても、あたかも直前の先行車両が存在しないような車両前方の映像を表示部１４に表示させることが可能となる。
【００４０】
上記したように先行車両に搭載されたカメラ２１の撮影映像を表示部１４に表示させる場合、表示部１４に表示される映像は、先行車両に搭載されたカメラを視点とした映像となる。
【００４１】
そこで、本実施形態では、本車載表示装置１は、自車における前方カメラ１１と先行車両におけるカメラの相対位置に基づいて先行車両に搭載されたカメラ２１の撮影映像を、自車に搭載された前方カメラ１１を視点とした映像となるように視点変換し、当該視点変換した映像を表示部１４に表示させるようになっている。
【００４２】
また、自車が先行車両の後ろを同一速度で走行している場合には、表示部１４に、自車と同じ速度で撮影された撮影映像が表示されるので乗員に違和感を与えることは少ないが、例えば、先行車両が急加速したような場合、自車が一定速度で走行しているのに表示部１４に急加速しているような撮影映像が表示されるため運転者に違和感を与えてしまう。
【００４３】
そこで、表示部１４に表示させるカメラの撮影映像が自車の車速に応じた速度感となるように、先行車両との車間距離が長くなると先行車両に搭載されたカメラ２１の撮影映像を縮小し、先行車両との車間距離が短くなると先行車両に搭載されたカメラ２１の撮影映像を拡大して表示する。
【００４４】
つまり、表示映像を拡大すると加速しているように感じ、表示映像を縮小すると減速しているように感じるという現象を利用して、表示部１４に表示させるカメラの撮影映像が自車の車速に応じた速度感となるような表示を行う機能を有している。例えば、自車が一定車速で走行し、先行車両が急加速したような場合、先行車両との車間距離が長くなる。このような場合には、一定車速で走行しているような速度感となるように、先行車両に搭載されたカメラ２１の撮影映像を縮小して表示する。
【００４５】
また、先行車両が走行途中で入れ替わり、先行車両に搭載されたカメラ２１の撮影映像の視野角（画角）が異なると、表示部１４に表示されるカメラの撮影映像に含まれる光景の範囲が広くなったり狭くなったりしてしまう。
【００４６】
そこで、本車載表示装置１は、付加情報に含まれるカメラの画角情報に基づいて、表示部１４に表示させるカメラの撮影映像の光景の範囲が一定となるように、表示部１４に表示させるカメラの撮影映像の大きさを補正する機能を有している。
【００４７】
また、先行車両に搭載された映像送信装置２の伝送遅延量が大きいと、通信部１０を介して受信した先行車両に搭載されたカメラ２１の撮影映像が遅れて表示部１４に表示されることになる。特に、走行中においては、その伝送遅延量が大きいと、実際の車両位置よりも後方で撮影された光景が表示部１４に表示されるといった現象が生じ、運転者に違和感を与えてしまう。
【００４８】
そこで、本車載表示装置１は、先行車両に搭載されたカメラ２１の撮影映像の伝送遅延量を特定し、伝送遅延量が大きいほど表示部１４に表示させる先行車両に搭載されたカメラ２１の撮影映像を大きく拡大して表示する機能を有している。すなわち、先行車両に搭載されたカメラ２１の撮影映像を、このカメラの撮影映像の中央を中心として大きく拡大し、撮影映像の周縁部の光景が映像に含まれないようにすることで、先行車両に搭載されたカメラ２１の撮影映像が大きく遅延しても、実際の車両位置よりも前方で撮影したような光景としてカメラの撮影映像を表示する機能を有している。
【００４９】
また、前述したように、先行車両に搭載された前方カメラ２１の撮影映像を、自車に搭載された前方カメラ１１を視点とした映像となるように視点変換する場合、あるいは、表示部１４に表示させるカメラの撮影映像が自車の車速に応じた速度感となるように、先行車両との車間距離が長くなると先行車両に搭載されたカメラ２１の撮影映像を縮小して表示するような場合、図３（ａ）に示すように、先行車両に搭載されたカメラ２１の撮影映像Ａの周囲に何も表示されない領域（斜線で示す）が生じる。
【００５０】
そこで、本車載表示装置１は、表示すべき撮影映像が画面サイズより小さい場合、先行車両に搭載されたカメラ２１の撮影映像の周囲に自車に搭載された前方カメラ１１の撮影映像を嵌め込み合成した映像を生成し、当該嵌め込み合成した映像を表示部１４に表示させる。具体的には、図３（ａ）に示したような、先行車両に搭載されたカメラ２１の撮影映像Ａの周囲に、図３（ｂ）に示すような、自車に搭載された前方カメラ１１の撮影映像Ｂを嵌め込み合成し、図３（ｃ）に示すような、先行車両に搭載されたカメラ２１の撮影映像Ａの周囲に自車に搭載された前方カメラ１１の撮影映像Ｂを嵌め込み合成した映像Ａ＋Ｂを表示部１４に表示させる。例えば、先行車両に搭載されたカメラ２１の撮影映像Ａに含まれる道路上の白線と、自車に搭載された前方カメラ１１の撮影映像Ｂに含まれる道路上の白線とが連続するように、撮影映像Ａの周囲に撮影映像Ｂを嵌め込み合成することにより、あたかも直前の先行車両が存在しないような車両前方の映像を表示部１４に表示させることが可能である。
【００５１】
図４に、本車載表示装置１の制御部１５のフローチャートを示す。自車のイグニッションスイッチがオンすると本車載表示装置１は動作状態となる。そして、運転者の操作部１３の操作に応じて、操作部１３より自車の直前に位置する先行車両のカメラ撮影映像の表示を指示する信号が入力されると、制御部１５は、図４に示す処理を実施する。
【００５２】
まず、通信部１０を介して他車より撮影映像を受信したか否かを判定する（Ｓ１００）。
【００５３】
ここで、他車より撮影映像が送信されない場合、Ｓ１００の判定はＮＯとなり、受信した撮影映像がないことを表示部１４に表示させ（Ｓ１０２）、Ｓ１００へ戻る。
【００５４】
また、通信部１０を介して他車より撮影映像を受信すると、Ｓ１００の判定はＹＥＳとなり、次に、受信した撮影映像に付加された付加情報を抽出して受信映像テーブルに格納する（Ｓ１０４）。具体的には、付加情報に含まれる車両ナンバー、カメラの画角情報、カメラの取り付け位置情報を受信映像テーブルに格納する。
【００５５】
次に、自車の前方カメラ１１の撮影映像があるか否かを判定する（Ｓ１０６）。ここで、自車に前方カメラ１１が搭載されてない場合や、自車の前方カメラ１１が故障している場合など、前方カメラ１１の撮影映像が入力されない場合、Ｓ１０６の判定はＮＯとなり、撮影映像が表示できないことを表示部１４に表示させる（Ｓ１０８）。
【００５６】
また、前方カメラ１１の撮影映像の入力がある場合、Ｓ１０６の判定はＹＥＳとなり、先行車両の車両ナンバーを特定する（Ｓ１１０）。具体的には、前方カメラ１１の撮影映像に画像認識処理を施して自車の直前に位置する先行車両の車両ナンバーを特定する。
【００５７】
次に、先行車両との車間距離を計測する（Ｓ１１２）。具体的には、測距センサ１２より送出される距離情報に基づいて先行車両との車間距離を特定する。
【００５８】
次に、先行車両の車両ナンバーと一致する車両ナンバーが受信映像テーブルにあるか否かを判定する（Ｓ１１４）。Ｓ１１０にて特定された先行車両の車両ナンバーと同一の車両ナンバーが付加された撮影映像が受信映像テーブルにあるか否かを判定する。
【００５９】
ここで、同一の車両ナンバーが付加された撮影映像が受信映像テーブルにない場合、Ｓ１１４の判定はＮＯとなり、該当する映像がないことを表示部１４に表示させる（Ｓ１１６）。
【００６０】
また、同一の車両ナンバーが付加された撮影映像が受信映像テーブルにある場合には、Ｓ１１６の判定はＹＥＳとなり、先行車両に搭載されたカメラ２１の撮影画像を特定する（Ｓ１１７）。具体的には、Ｓ１１０にて特定された先行車両の車両ナンバーと同一の車両ナンバーが付加された撮影映像を先行車両に搭載されたカメラ２１の撮影画像として特定する。
【００６１】
次に、自車のカメラ１１と先行車両のカメラ２１の相対位置を特定する（Ｓ１１８）。具体的には、測距センサ１２より送出される距離情報に基づいて計測した先行車両との車間距離Ｌ３、自車における前方カメラ１１の取り付け位置を特定するための情報および先行車両より送信される前方カメラ２１の撮影映像に付加された先行車両における前方カメラ２１の取り付け位置を特定するための情報から、自車における前方カメラ１１と先行車両における前方カメラ２１の相対位置を特定する。
【００６２】
次に、先行車両に搭載されたカメラ２１の撮影映像を、自車に搭載された前方カメラ１１を視点とした映像となるように視点変換を行う（Ｓ１２０）。先のＳ１１８にて特定した自車における前方カメラ１１と先行車両における前方カメラ２１の相対位置に基づいて先行車両に搭載された前方カメラ２１の撮影映像を、自車に搭載された前方カメラ１１を視点とした映像となるように視点変換する処理を行う。なお、このように視点変換する処理は周知技術（例えば、特開２００８−１５１７０８号公報、文献Ａ：Tsai Camera Calibration”［２００９年５月１５日検索］、インターネット<URL:http://homepages.inf.ed.ac.uk/rbf/CVonline/LOCAL_COPIES/DIAS1/>参照）である。
【００６３】
次に、自車の車速に応じた速度感となるように、先行車両との車間距離に応じてカメラの撮影映像の表示倍率を変更する（Ｓ１２２）。具体的には、測距センサ１２を用いて先行車両との車間距離を繰り返し計測し、表示部１４に表示させるカメラの撮影映像、すなわち、視点変換したカメラの撮影映像が自車の車速に応じた速度感となるように、先行車両との車間距離が長くなると先行車両に搭載されたカメラ２１の撮影映像を縮小し、先行車両との車間距離が短くなると先行車両に搭載されたカメラ２１の撮影映像を拡大する。
【００６４】
次に、カメラの撮影映像の撮影範囲が一定となるように、画角情報に応じてカメラの撮影映像の大きさを補正する（Ｓ１２４）。具体的には、通信部１０を介して受信したカメラの撮影映像に付加された付加情報に含まれるカメラの画角情報と、制御部１５のハードディスクドライブに記憶された自車の前方カメラ１１の画角情報を比較して、表示部１４に表示させるカメラの撮影映像の光景の範囲（視野角）が一定となるように、表示部１４に表示させるカメラの撮影映像を拡大または縮小する。なお、本実施形態では、通信部１０を介して受信したカメラの撮影映像に付加された付加情報に含まれるカメラの水平画角と、制御部１５のハードディスクドライブに記憶された自車の前方カメラ１１の水平画角を比較して、表示部１４に表示させるカメラの撮影映像の光景の範囲（視野角）が一定となるように、表示部１４に表示させるカメラの撮影映像を拡大または縮小する。
【００６５】
次に、通信部１０を介して受信したカメラの撮影映像の伝送遅延量を特定する（Ｓ１２６）。本実施形態では、通信部１０を介して受信した先行車両に搭載されたカメラ２１の撮影映像と自車の前方カメラ１１の撮影画像のマッチングによる時間差抽出を行うことで伝送遅延量を特定する。例えば、信号機が赤信号から青信号に変化するタイミング差より伝送遅延量を特定する。
【００６６】
次に、Ｓ１２６にて特定した伝送遅延量に応じてカメラ撮影映像の大きさを補正する（Ｓ１２８）。具体的には、伝送遅延量が大きいほど表示部１４に表示させる先行車両に搭載されたカメラ２１の撮影映像を、このカメラの撮影映像の中央を中心として大きく拡大する。
【００６７】
次に、表示すべき撮影映像が画面サイズより小さいか否かを判定する（Ｓ１３０）。
【００６８】
ここで、表示すべき撮影映像が画面サイズより小さい場合、Ｓ１３０の判定はＹＥＳとなり、次に、先行車両に搭載されたカメラ２１の撮影映像の周囲に自車に搭載された前方カメラ１１の撮影映像を嵌め込み合成した映像を生成する（Ｓ１３２）。
【００６９】
そして、加工した映像を表示部１４に表示させる（Ｓ１３４）。また、表示すべき撮影映像が画面サイズと同じ、あるいは表示すべき撮影映像が画面サイズより大きい場合には、Ｓ１３２の判定はＮＯとなり、嵌め込み合成した映像を生成することなく、加工した映像を表示部１４に表示させる。
【００７０】
上記した構成によれば、通信部１０を介して、車両前方を撮影するカメラを搭載した車両より当該車両を特定するための識別情報を付加したカメラの撮影映像を受信した場合、識別情報を用いて、通信部１０を介して受信した映像の中から自車の直前に位置する先行車両に搭載されたカメラ２１の撮影映像を特定し、この先行車両に搭載されたカメラ２１の撮影映像が表示部に表示されるので、先行車両が存在する場合における自車前方の視認性を向上することができる。
【００７１】
なお、自車の前方を撮影する前方カメラ１１の撮影映像に画像処理を施して自車の直前に位置する先行車両の車両ナンバーを特定し、この先行車両の車両ナンバーと同一の車両ナンバーが付加された撮影映像を先行車両に搭載されたカメラ２１の撮影映像として特定することができる。このような構成とすることで、カーナビゲーション情報などの位置情報を用いる場合と比較して、精度よく自車の前方の車両を特定することができる。
【００７２】
また、表示部１４に表示させるカメラの撮影映像が自車の車速に応じた速度感となるように、先行車両との車間距離が長くなると先行車両に搭載されたカメラ２１の撮影映像が縮小し、先行車両との車間距離が短くなると先行車両に搭載されたカメラ２１の撮影映像が拡大するので、運転者に違和感を与えないようにすることが可能である。
【００７３】
また、先行車両に搭載されたカメラ２１の画角情報に基づいて、表示部に表示させるカメラの撮影映像の範囲が一定となるように、先行車両に搭載されたカメラ２１の撮影映像の大きさが補正されるので、先行車両が走行途中で入れ替わり、先行車両に搭載されたカメラ２１の撮影映像の画角が異なっても、表示部に表示させるカメラの撮影映像の範囲を一定にすることができる。
【００７４】
また、先行車両に搭載されたカメラ２１の撮影映像が、自車に搭載されたカメラを視点とした映像となるように視点変換され、この視点変換された映像が表示部に表示されるので、あたかも自車に搭載されたカメラにより撮影されたような映像を提供することができる。特に、前方の車両がトラックなどでカメラ取り付け高さが高い場合でも、通常の乗用車の高さ視点に変換して映像を提供することができる。
【００７５】
また、表示部に表示すべき撮影映像が画面サイズより小さいことを判定した場合、先行車両に搭載されたカメラ２１の撮影映像の周囲に自車に搭載されたカメラにより撮影された映像を嵌め込み合成した映像を生成し、この生成した嵌め込み合成した映像が表示部に表示されるので、表示部に表示すべき撮影映像が画面サイズより小さくなっても、あたかも自車に搭載されたカメラにより撮影されたような映像を運転者に提供することができる。
【００７６】
また、伝送遅延量が大きいほど表示部に表示させる先行車両に搭載されたカメラ２１の撮影映像が大きく拡大して表示部に表示されるので、先行車両に搭載されたカメラ２１の撮影映像が大きく遅延しても、実際の車両位置よりも前方で撮影したような光景としてカメラの撮影映像が表示され、運転者に違和感を与えないようにすることが可能である。
【００７７】
（第２実施形態）
本実施形態に係る車載表示装置１は、先行車両から送信された撮影映像をハードディスクドライブに予め定められた期間分（例えば、１分）、一時記憶する処理を実施するようになっている。
【００７８】
本実施形態に係るに係る制御部のフローチャート（一部）を図５に示す。以下、上記第１実施形態と同一部分には同一符号を付して説明を省略し、異なる点を中心に説明する。
【００７９】
上記第１実施形態では、Ｓ１３０の判定にて、表示部に表示すべき撮影映像が画面サイズより小さいと判定された場合、Ｓ１３２にて、先行車両に搭載されたカメラ２１の撮影映像の周囲に自車に搭載された前方カメラ１１の撮影映像を嵌め込み合成した映像を生成し、Ｓ１３４にて、この嵌め込み合成した映像を表示部１４に表示させたが、本実施形態では、図５に示すように、Ｓ１３０の判定にて、表示部に表示すべき撮影映像が画面サイズより小さいと判定された場合、Ｓ２３２に示すように、先行車両に搭載されたカメラが過去に撮影した撮影映像（例えば、自車位置付近で撮影した映像）をハードディスクドライブから読み出し、視点変換した映像の周囲にハードディスクドライブから読み出した撮影映像を嵌め込み合成した画像を生成し、Ｓ１３４にて、この嵌め込み合成した映像を表示部１４に表示させる。なお、本実施形態では、自車と先行車両との車間距離を自車の車速で除算して求めた時間分だけ過去に記憶された先行車両に搭載されたカメラ２１の撮影画像をハードディスクドライブから読み出して、先行車両が過去に自車位置で撮影した撮影映像とする。
【００８０】
このように、表示部に表示すべき撮影映像が画面サイズより小さい場合、自車に搭載された前方カメラ１１の撮影映像を用いることなく、視点変換した映像の周囲に、先行車両が自車位置で撮影した撮影映像を嵌め込み合成した画像を生成し、この嵌め込み合成した映像を表示部１４に表示させることができ、あたかも自車に搭載されたカメラにより撮影されたような映像を運転者に提供することができる。
【００８１】
（その他の実施形態）
上記第１、第２実施形態では、他車に搭載された通信装置と車々間通信を行って、他車に搭載された通信装置から識別情報が付加されたカメラの撮影画像を受信する構成を示したが、車々間通信である必要はなく、例えば、公衆通信網を介して、他車に搭載された通信装置から識別情報が付加されたカメラの撮影画像を受信する構成としてもよい。
【００８２】
また、上記第２実施形態では、自車と先行車両との車間距離を自車の車速で除算して求めた時間分だけ過去に記憶された撮影画像をハードディスクドライブから読み出して、先行車両が過去に自車位置で撮影した撮影映像としたが、例えば、自車の前方カメラ１１の撮影映像と、ハードディスクドライブに記憶された先行車両に搭載されたカメラ２１の撮影画像とのマッチングによる一致判定を実施し、自車の前方カメラ１１の撮影映像と一致した撮影画像を先行車両が過去に自車位置で撮影した撮影映像としてもよい。
【００８３】
また、上記実施形態では、車両前方を撮影するカメラを搭載した車両より当該車両を特定するための識別情報として車両ナンバーを付加したカメラの撮影映像を受信した場合、この車両ナンバーを用いて、通信部１０を介して受信した映像の中から自車の直前に位置する先行車両に搭載されたカメラ２１の撮影映像を特定したが、車両ナンバー以外の識別情報を用いて、通信部１０を介して受信した映像の中から自車の直前に位置する先行車両に搭載されたカメラ２１の撮影映像を特定してもよい。例えば、自車位置および自車と先行車両との車間距離に基づいて自車の直前に位置する先行車両の位置情報（緯度経度、進行方向を含む）を推定するとともに、車両前方を撮影するカメラを搭載した車両より当該車両を特定するための識別情報として車両の位置情報（緯度経度、進行方向を含む）を付加したカメラの撮影映像を送信させ、推定した先行車両の位置情報と一致する車両の位置情報が付加されたカメラの撮影映像を先行車両に搭載されたカメラ２１の撮影映像として特定してもよい。
【００８４】
また、上記第１実施形態で示した前方カメラ１１、測距センサ１２等の取り付け位置は一例であり、上記実施形態に記載された場所に限定されるものではない。
【００８５】
また、上記第１実施形態では、水平画角、垂直画角、対角線画角により規定されたカメラの画角情報によりカメラの画角を特定したが、例えば、カメラのレンズの焦点距離等を用いてカメラの画角を特定してもよい。
【００８６】
また、上記第１実施形態では、通信部１０を介して受信した先行車両に搭載されたカメラ２１の撮影映像と自車の前方カメラ１１の撮影画像のマッチングによる時間差抽出を行って伝送遅延量を特定したが、このような手法を用いることなく、例えば、自車と他車の両車両にＧＰＳ受信機を備え、他車より送信されるカメラの撮影映像の付加情報にＧＰＳ時間を含むように構成し、各ＧＰＳ時間を比較して伝送遅延量を特定してもよい。
【００８７】
また、上記第１実施形態では、Ｓ１２０における視点変換、Ｓ１２２における車間距離に応じた表示倍率変更、Ｓ１２４における画角に応じた撮影画像の大きさ補正、Ｓ１２６における伝送遅延量に応じた撮影画像の大きさ補正、Ｓ１３２における嵌め込み合成画像の生成を実施し、これらの各処理により加工された撮影映像を表示部１４に表示させたが、上記した各処理の少なくとも１つを省略してもよい。
【００８８】
なお、上記実施形態における構成と特許請求の範囲の構成との対応関係について説明すると、通信部１０が通信手段に相当し、Ｓ１０６、Ｓ１１４、Ｓ１１７が撮影映像特定手段に相当し、Ｓ１３４が表示制御手段に相当し、前方カメラ１１が撮影手段に相当し、Ｓ１１０が車両ナンバー特定手段に相当し、測距センサ１２、Ｓ１１２が車間距離計測手段に相当し、Ｓ１２２が表示倍率変更手段に相当し、Ｓ１２４が第１の補正手段に相当し、制御部１５のハードディスクドライブが記憶手段および映像記憶手段に相当し、Ｓ１１８、Ｓ１２０が視点変換手段に相当し、Ｓ１３２が第１の合成映像生成手段に相当し、Ｓ２３２が第２の合成映像生成手段に相当し、Ｓ１２６が伝送遅延量特定手段に相当し、Ｓ１２８が第２の補正手段に相当する。
【符号の説明】
【００８９】
１    車載表示装置
２    映像送信装置
１０  通信部
１１  前方カメラ
１２  測距センサ
１３  操作部
１４  表示部
１５  制御部
２１  カメラ
２２  制御部
【図１】
2010267052.tif 000003
【図２】
2010267052.tif 000004
【図３】
2010267052.tif 000005
【図４】
2010267052.tif 000006
【図５】
2010267052.tif 000007